(57)【要約】【課題】  本発明は、振動や衝撃が長期にわたり行われる個所に締め付けたねじの緩みを防止する座金を提供する。【解決手段】  環状の座金Sは、外周を円形に、内周を略長円形にしている。内縁３には、中央部から最短距離の双方の縁に突起部５A、５Bを有している。この座金Sは、突起部５Ａから５Ｂまでの距離が、ボルト８の軸部９を挟持する距離を有した形状にしている。この形状から、突起部５Ａと５Bを互いに離反する方向へ押し広げて、ボルト８の軸部９に嵌める大きさに拡径すると、外縁２に歪みが生じて波形の隆起部７A、７Bが形成される。この座金Sは、ボルト８の軸部９に嵌めて、ナット１０で締め付けると、ナット１０の座面１２で、座金Sの隆起部７A、７Bが抑圧されて平面状になろうとする。この時、座金Sの内周が、縮径して略長円形になり、突起部５Aと５Bとが、ボルト８の軸部９を挟持するようになるため、緩みが止められる。【選択図】  図１
2016176505.tif 000002
【特許請求の範囲】
【請求項１】
雄ねじを締めつける時、雌ねじの下にあてる座金であって、この環状の座金は、内周が略長円形と，中央部から最短距離に位置する一方の内縁部から対峙する他方の内縁部までの距離が雄ねじの軸部を挟持する距離と，を備えたことを特徴とする座金。
【請求項２】
前記座金は、一方の前記内縁部と他方の内縁部の双方に複数の突起部を備えたことを特徴とする請求項１に記載の座金。
【請求項３】
前記座金は、一方の前記内縁部から対峙する他方の内縁部の距離が前記雄ねじの軸部を通す距離と，外縁が波形に起伏した形状と，を備えたことを特徴とする請求項１、２に記載の座金。
【発明の詳細な説明】
【技術分野】
【０００１】
本発明は、ねじの緩みを防止する座金に関するものである。  
【背景技術】
【０００２】
従来、締め付けたねじが振動等で緩む場合が多々あった。これらを解決するために、ボルトを締めるときナットの下に当てる座金は、ばね座金や歯付座金等を用いていたが、いま一歩の感があった。
【０００３】
その他に特許文献１〜４が開示されている。
【先行技術文献】
【特許文献】
【０００４】
【特許文献１】特開２０１２−１７２７６８号公報
【特許文献２】特開２００８−２８１１２７号公報
【特許文献３】特開２００７−３１５５８０号公報
【特許文献４】特開２００２ー３９１４０号公報
【発明の開示】
【発明が解決しようとする課題】
【０００５】
しかしながら、従来の座金による被締結物の取り付け作業では、ナットの緩みを止めても、ボルトが緩みを生じ、充分ではなかった。
その為、本発明の根底をなす課題は、ボルトの固定をして振動を加えても緩み難く、さらに、製造に於いても材料費や人件費の安価な緩みを防止する座金を提供することを目的とする。
【課題を解決するための手段】
【０００６】
本発明にあっては、上記課題を解決するために講じた本発明の手段は、次の通りである。第１手段は、雄ねじを締めつける時、雌ねじの下にあてる座金であって、この環状の座金は、内周が略長円形と，中央部から最短距離に位置する一方の内縁部から対峙する他方の内縁部までの距離が雄ねじの軸部を挟持する距離と，を備えたことを特徴とする座金である。
【０００７】
これによれば、前記座金は、中央部から一方の前記内縁部と、中央部から他方の前記内縁部の距離を対称の距離にするのが望ましい。また、この座金は、一方の前記内縁部から他方の前記内縁部の距離を前記雄ねじの軸部を通す距離に押し拡げると、外縁が歪みながら波形に起伏した形状になる。この形状にした座金を、前記雄ねじの軸部に嵌めて前記雌ねじで螺入すると、前記座金の前記外縁が、前記雌ねじの座面で押圧され、波型から平面状になろうとする。この時、この座金は、一方の前記内縁部と他方の内縁部との距離が狭まり、内周が縮径して略長円形になり、前記雄ねじの軸部を挟持するため、前記雄ねじの緩みが阻止されるようになる。
【０００８】
第２手段にあっては、前記座金は、一方の前記内縁部と他方の前記内縁部の双方に複数の突起部を備えたことを特徴とする第１手段の座金である。
【０００９】
これによれば、前記座金は、一方の前記突起部と他方の前記突起部で前記雄ねじの軸部を挟持して、より強固に緩みを止めるようにしている。
【００１０】
第３手段にあっては、前記座金は、一方の前記内縁部から対峙する他方の前記内縁部の距離が前記雄ねじの軸部を通す距離と，外縁が波形に起伏した形状と，を備えたことを特徴とする第１、第２手段の座金である。
【００１１】
これによれば、前記座金は、双方の前記内縁部を離反する方向へ押し拡げて、内周を前記雄ねじの軸部に嵌める大きさに拡径させている。この時、前記座金は、中央部から最長距離方向の双方の外縁が波形に起伏して隆起部を形成する。また、この形状にして弾性を付加させるのが望ましい。
【００１２】
前記座金は、前記雄ねじの軸部に嵌めて前記雌ねじで締め付けると、この雌ねじの座面で双方の前記隆起部が押圧されて、内周が縮径するため、双方の前記内縁部で前記雄ねじの軸部を挟持するようになり、前記雄ねじの緩みが止められる。また、前記雌ねじは、前記座金の弾性の反発力で緩みが止められる。
【発明の効果】
【００１３】
本発明における座金は、簡単な構造のため、製造コストが安価であり、大量生産ができ、締め付け作業も簡単にでき緩み防止を図ることができる。また、ねじの脱落を防止することができる。
【図面の簡単な説明】
【００１４】
【図１】本発明に係る整形した座金の全体を構成する概略図である。
【図２】本発明に係る図１の座金の拡大概略図である。
【図３】本発明に係る座金の原型の平面図である。
【図４】本発明に係る図２の整形前の平面図である。
【図５】本発明に係る図４の断面図である。
【発明を実施するための最良の形態】
【００１５】
以下発明の実施の形態について、図面に従って詳細に説明すれば、図１は本発明の実施例を表すもっとも一般的な形態の概略図を示すが、座金Sは、外縁２と内縁３と内縁部３A、３Bと突起部５A、５Bと隆起部７A、７Bとボルト８と軸部９とナット１０と座面１２で構成されている。
【００１６】
図１、２の座金Sは、略長円形の内縁３の内縁部３Aと内縁部３Bを離反する方向へ押し広げて、内周を拡径させて、ボルト８の軸部９に嵌める大きさに整形されている。この時、外縁２には、歪みが生じて波形に起伏して隆起部７Aと隆起部７Bが形成されている。
【００１７】
図３の座金Sは、内縁部３Aから内縁部３Bまでの距離が、ボルト８の軸部９の直径の長さより僅かに短くしてあり、ボルト８の軸部９を挟持する幅になっている。
【００１８】
図４に示す内縁部３Aには、二つの突起部５Aを設けてあり、内縁部３Bにも二つの突起部５Bが設けられている。
【００１９】
図４の座金Sは、突起部５Aから突起部５Bまでの距離を、ボルト８の軸部９を挟圧する距離にしている。また、  図５に示す座金Sの厚みは、前記雄ねじ８の軸部９のピッチの長さと同じ厚みにするのが望ましい。
【００２０】
例えば、ボルト８の軸部９の外径が１０、０ｍｍの場合、使用する座金Ｓは、突起部５Ａ〜５Ｂの距離を、９、３ｍｍ、内縁部３Ａ〜３Ｂの距離を１３，５ｍｍとし、この形状から、突起部５Ａ〜５Ｂの距離を１１，０ｍｍ、内縁部３Ａ〜３Ｂの距離を１１，０ｍｍに整形するのが望ましく、この形状にして弾力性を設けるのが望ましい。
【００２１】
図１に示すように、本発明の実施例について説明すると、座金Sは、ボルト８の軸部９に嵌めてナット１０で締め付けると、ナット１０の座面１２で隆起部７A、７Bが抑圧され、座金Sの厚みと同じ高さの平面になろうとする。この時に、この座金Sの突起部５Aと突起部５Bの間隔が狭まり、内周が縮径して略長円形になり、突起部５Aと突起部５Bとで、ボルト８の軸部９を挟圧して緩みを止めるようになる。また、ナット１０は、座金Sの弾力の反発で緩みが止められる。
【００２２】
又、本発明は、上記実施の形態や実施例には限定されるものではなく、特許請求の範囲に於いて、様々な変形が可能である。
【符号の説明】
【００２３】
Ｓ                        座金
２                        外縁  
３                        内縁
３A、３B                内縁部
５A、５B                突起部
７A、７B                隆起部
８                        ボルト
９                        軸部
１０                      ナット
１２                      座面
【図１】
2016176505.tif 000003
【図２】
2016176505.tif 000004
【図３】
2016176505.tif 000005
【図４】
2016176505.tif 000006
【図５】
2016176505.tif 000007